(57)【特許請求の範囲】
【請求項１】
面体内側に弾力性のある吸気弁と、該吸気弁の外形を覆い且つ中央部に貫通孔を設けた吸気弁押さえを有する吸気口を具備したフィットチェッカー内蔵マスクにおいて，前記吸気弁を前記吸気弁押さえで装着者側から面体側に押さえて，吸気弁を閉じた状態で固定することにより一時的に通気経路を遮断し，面体と顔面との密着性の確認を容易に行えるようにすると共に、吸気弁押さえの孔から吸気弁を取り出し容易に吸気弁を交換できることを特徴とするフィットチェッカー内蔵マスク。
【請求項２】
吸気弁押さえの外周１か所または複数箇所から面体の外側に伸びたレバーにより一時的に通気経路を遮断する請求項１に記載のフィットチェッカー内蔵マスク。
【請求項３】
フィルタコネクションと同軸上に吸気弁と吸気弁押さえを配置した請求項１または請求項２に記載のフィットチェッカー内蔵マスク。
【請求項４】
フィルタコネクションと異軸上に吸気弁と吸気弁押さえを配置した請求項１または請求項２に記載のフィットチェッカー内蔵マスク。
【発明の詳細な説明】
【技術分野】
【０００１】
本発明は，装着時にマスクと顔面との密着性を容易に確認できるフィットチェッカーを内蔵したフィットチェッカー内蔵マスクに関し、特に吸気弁の交換を容易にしたフィットチェッカー内蔵マスクに関する。
【背景技術】
【０００２】
防じんマスクや防毒マスクを装着して作業を行う際は，マスク装着直後，マスクと顔面が隙間無く密着していることを確認する必要がある。そのためには，面体に取り付けられたフィルタの吸気口部を手で押さえて漏れ込みを確認する方法や，別体のフィットチェッカーを使用する方法がある。また，面体内にフィットチェッカーが内蔵されたマスクについては，その機構を用いて密着性を確認することができる。
【０００３】
手でフィルタの吸気口を押さえてフィットチェックを行う場合，顔面に面体を押しつける力が働く可能性があるため，正確に密着性を確認できていない可能性がある。別体のフィットチェッカーは取り付け・取り外しが手間であり，保管時に紛失する可能性もある。
マスク内にフィットチェッカー機構を内蔵するということは，面体のフィルタコネクション部から面体内の吸気口までの限られた経路間で，吸気を遮断する機構を盛り込むということであるが，遮断する際，漏れがあってはならないため，その機構は複雑になり，かつ，必要な部品も多くなる。また複雑な機構を通気経路に設けるということは，通気面積を狭めるため，通気抵抗が高くなるなど性能の低下も懸念される。通気抵抗が高くなることへの対策としては，フィットチェッカー機構の分，通気経略を広くし，通気抵抗を下げるという方法もあるが，その場合，面体全体を外側か内側のどちらかに大きくする必要がある。外側に大きくした場合，面体の顔面からの張出量が大きくなるため，装着者の下方視野が悪くなることや作業の邪魔になることが予想できる。また，内側に大きくした場合，面体が装着者の顔面に近づくことになるため,接顔体ではない面体の一部が装着者の顔面に触れる可能性がある。特に吸気弁は吸気時に開き顔面に近づくため，装着者の口や鼻などに接触する可能性が大きい。その場合，装着者は非常に不快な思いをすることになる。
【０００４】
本発明者らは先に面体内側に取り付けられた吸気弁を装着者側から押さえて、閉じた状態で固定することで、一時的に通気経路を遮断し面体と顔面との密着性の確認を容易に行
えるようにフィットチェッカー内蔵マスクを発明した（特許文献１）。このマスクは，フ
ィルタコネクション部から面体内の吸気口までの経路に機構を設ける必要がないため，通気経路がシンプルになり，通気面積が小さくなることなく容易に面体と顔面との密着性を確認することが出来る。また，このマスクにおいて重要な役割を果たす吸気弁は，本来マスクの必須部品の一つであり，この吸気弁をフィットチェッカー機構に利用することで，部品点数を削減することができる。さらに，通常の装着時は吸気弁押さえで吸気弁の開きを抑制することができるため，吸気弁の一部が装着者に接触することも防ぐことができる。    そのため，吸気弁の最大の開きを考慮することなく，装着者の顔面に面体を近づけることができるため，結果として，面体の張出量を小さくすることができ，フィットチェッカー機構として極めて有効な方法である。
しかしながら，消耗部品である吸気弁は劣化等の原因によって交換の必要が生じるが，吸気弁を押さえるための部品が存在するため，吸気弁の交換が難しくなるという問題もある。
この点に関し先に出願した特願２０１４−１８２１５２号（特開２０１６−５４８２８号）で具体的に述べる。図５は前記特願２０１４−１８２１５２における伸縮性のある膜を使用したレバー部の構造断面図（通常装着時）であり、図６はフィットチェッカーのフィットチェック実施時の構造断面図である。図５において、レバー4は面体の内部から外部に伸びていて，少なくとも吸気弁押さえ5の開閉のために動かせなければならない。しかし，面体の内外はフィルタ2（図示していない）を通して以外は完全に遮断されていなければならず，レバー4の機構部も例外ではない。そこで、伸縮性があり，粉じんやガスを通さない素材でできた膜6をレバー4の軸及び面体に面体の内外を遮断するように繋いでいる。膜6には伸縮性があるため，フィットチェック時にはレバー4を軸方向に引っ張ることができ，吸気弁3を押さえて通気経路を遮断する。フィットチェック後は，膜6の伸縮性によって，通常装着時の位置にもどるため，力を加えない限りレバー4は動くことなく固定される。ところが、吸気弁３の交換時には少なくとも吸気弁押さえ５を外す必要があり、この操作が複雑であるため吸気弁の交換が難しいという問題があった。
【先行技術文献】
【特許文献】
【０００５】
特願２０１４−１８２５２号（特開２０１６−５４８２８号）
【発明の概要】
【発明が解決しようとする課題】
【０００６】
本発明は，上記の問題を解決すると共に，面体と顔面との密着性を容易に確認すると共に，吸気弁を容易に交換できるフィットチェッカー内蔵マスクを提供することを目的としている。
【課題を解決するための手段】
【０００７】
本発明の要旨は、面体内側に弾力性のある吸気弁と、該吸気弁の外形を覆い且つ中央部に貫通孔を設けた吸気弁押さえを有する吸気口を具備したフィットチェッカー内蔵マスクにおいて，前記吸気弁を前記吸気弁押さえで装着者側から面体側に押さえて，吸気弁を閉じた状態で固定することにより一時的に通気経路を遮断し，面体と顔面との密着性の確認を容易に行えるようにすると共に、吸気弁押さえの孔から吸気弁を取り出し容易に吸気弁を交換できることを特徴とするフィットチェッカー内蔵マスクである。
【発明の効果】
【０００８】
本発明のフィットチェッカー機構を面体内に組み込むことで，面体と顔面との密着性を正確に確認でき，別体のフィットチェッカーのように紛失することもない。また，面体内側の吸気弁を装着者側から押さえることで，フィルタコネクション部から面体内の吸気ロまでの経路に機構を設ける必要がないため，通気経路がシンプルになり，通気面積が小さくなることなく容易に面体と顔面との密着性を確認することができる。また，吸気弁の劣化等のよって交換の必要が生じた場合には，吸気弁押さえに設けた孔を通して面体内部より外すことが出来るので、容易に吸気弁を交換することができる。
【図面の簡単な説明】
【０００９】
【図１】本発明にかかるマスクの通常装着時の横断面図（フィルタ１個付き）
【図２】本発明にかかるマスクのフィットチェック実施時の横断面図  （フィルタ１固付き）
【図３】本発明にかかるマスクの通常装着時の横断面図（フィルタ２個付き）
【図４】本暦明にかかるマスクのフィットチェック実施時の横断面図（フィルタ２個付き）
【図５】先の出願（特願2014-182152号）のフィットチェカーの構造断面図（通常装着時）
【図６】図５のフィットチェッカーのフィットチェック実施時の構造断面図
【発明を実施するための形態】
【００１０】
本発明について詳細に説明する。
本発明にかかるマスクの種類としては，粉じん用あるいは有毒ガス用の何れのマスクでもよく，使用するフィルタの種類や数によっても特に限定はされない。また，半面形や全面形等のマスクの形状・構造によっても限定されない。
本発明に係るマスクは面体内部に通じる吸気口を設け，該吸気口は吸気弁を有しており，該吸気弁を装着者側から押さえて吸気弁を閉じ通気経路を遮断するのである。通気経路を遮断する一例として次のような機構よりなっている。
即ち，フィルタから面体内部に通じる吸気口を設け，前記吸気口には吸気弁が設けられており，吸気弁は柔らかく弾性のあるゴムなどの素材が使用されている。吸気弁にはその外形を覆い，かつ，内側をくり抜いた孔のある形状の吸気弁押さえが取り付けられている。この孔の大きさとしては該孔を通して吸気弁が外せる程度の大きさであればよい。該吸気弁押さえの外周上にレバーを設け，該レバーは面体外部に延びている。通常の装着時は外部からの空気はフィルタを通過して吸気口に至る。本発明においては前記吸気弁を装着者側から押さえて閉じた状態で固定することで一時的に通気経路を遮断して面体と装着者の顔面との密着性を確認するのである。吸気弁を装着者側から押さえる手段としては，前記レバーを面体の外部方向に引っ張ることによって一時的に吸気弁を閉ざし，通気経路を遮断して外部からの漏れをチェックするのである。
吸気弁を交換する手段としては，吸気弁押さえの孔から，吸気弁を取り外し，新しい吸気弁を取り付けるのである。
【実施例】
【００１１】
次に実施例として図面をもって更に具体的に説明する。
図１は，本発明にかかるフィルタ２を１個付けたマスクの装着時の横断面図である。面体の正面にフィルタ２が取り付いており，そのコネクションと同軸上に吸気口が設けられ，吸気弁３及び孔７の空いた吸気弁押さえ５が取り付いている。吸気弁押さえ５の外周左右２か所にレバー４が面体１の外部まで伸びている。図は１例であり，フィルタ２の位置は中心に限らず上下及び左右のいずれの位置にも配置することができ，面体内の吸気口の位置もコネクションの軸上になくともよい。ただし，コネクションの同軸上に吸気口を配置しない場合は吸気経路を設ける必要があるため，フィルタ１個付きのマスクの場合はコネクションと吸気口は同軸上に配置することでよりシンプルな構造になるため好ましい。吸気弁を交換する手段としては，吸気弁押さえの孔７から，吸気弁を取り外し，新しい吸気弁を取り付ける。
図２は，図１に示したマスクのフィットチェック実施時の横断面図である。レバー４を面体から離れる方向に引っ張ることで，吸気弁押さえ５が吸気ロに近づき吸気弁３を閉じた状で固定するため、通気経路が遮断されることになる。
【００１２】
図３は本発明にかかるフィルタ２を２個有するマスクの通常装着時の横断面図である。装着者から見て面体の左右にフィルタ２が取り付いており，面体内側の中心部１か所に吸気口が設けられ，吸気弁３及び孔の空いた吸気弁押さえ５が取り付いている。吸気弁押さえ５の外周左右２か所にレバー４が面体の外部まで伸びている。図は１例であり，フィルタ２の位置は左右に限らない。また，面体内の吸気口の位置も中心部でなくともよい。また，フィルタ２の数量は２個に限らず，さらに増やすことも可能である。また，面体内の吸気口を１か所にまとめずとも個々のコネクションに前記フィットチェック機構を設けてもよい。ただし，フィットチェックする場合には全ての吸気弁３を押さえる必要があるため，フィルタ複数個付きマスクの場合は，面体内の吸気口を１か所にまとめる構造が好ましい。吸気弁を交換する手段としては，吸気弁押さえの孔７から，吸気弁を取り外し，新しい吸気弁を取り付ける。
図４は，図３に示したマスクのフィットチェック実施時の横断面図である。レバー４を面体から離れる方向に引っ張ることで，吸気弁押さえ５が吸気口に近づき吸気弁３を閉じた状態で固定するため，通気経路が遮断されることになる。
【産業上の利用可能性】
【００１３】
以上述べたように，本発明に係るフィットチェッカー内蔵マスクは顔との密着性を容易に確認でき，かつ，吸気弁を容易に交換できるため，極めて有用である。
【符号の説明】
【００１４】
１  接顔体        ２  フィルタ        ３  吸気弁        ４  レバー
５  吸気弁押さえ        ６  膜        ７  吸気弁押さえの孔
【図１】
0006489934.tif 000002
【図２】
0006489934.tif 000003
【図３】
0006489934.tif 000004
【図４】
0006489934.tif 000005
【図５】
0006489934.tif 000006
【図６】
0006489934.tif 000007